(57)【要約】本発明は、新たなコンセプトに基づいた、コケ植物を用いる造形物を提供することを目的とする発明である。本発明者は、この目的を、少なくとも、造形物の表面の全部または一部が、固化した状態の、粉砕紙および／または紙前駆物並びに土質細物を含有する組成物で構成され、かつ、この組成物で構成される造形物の表面において、コケ植物が露出している、コケ植物を用いた造形物を提供することにより、解決し得ることを見出し、本発明を完成した。
2003037067.tif 000002
【特許請求の範囲】
【請求項１】
少なくとも、造形物の表面の全部または一部が、固化した状態の、粉砕紙および／または紙前駆物並びに土質細物を含有する組成物で構成され、かつ、この組成物で構成される造形物の表面において、コケ植物が露出している、コケ植物を用いた造形物。
【請求項２】
器物の表面の全部または一部において、粉砕紙および／または紙前駆物並びに土質細物を含有する組成物が、固化した状態で付着固定されている、請求の範囲第１項記載のコケ植物を用いた造形物。
【請求項３】
土質細物に粘土が含有されている、請求の範囲第１項記載の造形物。
【請求項４】
土質細物に粘土が含有されている、請求の範囲第２項記載の造形物。
【請求項５】
造形物表面における、粉砕紙および／または紙前駆物並びに土質細物を含有する組成物およびコケ植物を含有する組成物が固化する前に、この表面に水流を接触させて、造形物表面近傍のコケ植物を覆っている固化素材を除去することにより、これらのコケ植物を造形物表面に露出させる工程を行う、請求の範囲第１項〜第４項のいずれかに記載の造形物の製造方法。
【請求項６】
下記の（Ａ）と（Ｂ）を要素として含む、請求の範囲第２項または第４項記載の造形物を製造するための、造形物製造用キット。
（Ａ）粉砕紙および／または紙前駆物並びに土質細物を含有する組成物
（Ｂ）器物
【発明の詳細な説明】
技術分野
本発明は、コケ植物を用いた造形物に関する発明である。
背景技術
従来、コケ植物には、ジメジメしているとか、暗い、といったイメージが強く、その利用分野も、庭園、盆栽等の一部の分野に限定されていた。
しかしながら、コケ植物には、「モスグリーン」という言葉にも現れているように、他の植物には見られない、独特の落ち着いた色合いを有するだけではなく、「その植物体を切り離して乾燥させても、水を与えることにより、多量の水を含んで膨潤した状態で、即座に生命活動を再開し、この乾燥と湿潤の過程を多数回繰り返すことも可能である」という、他の高等植物には認められない、驚くべき特性を有している。
このようなコケ植物の応用分野として、これを用いた造形物が想定され、本発明者も、以前、「コケ植物を用いた立体緑化造形物」についての特許出願を行っている（ＷＯ９８／０２０３１号公報）。
上記の「コケ植物を用いた立体緑化造形物」は、優れたコケ植物を用いた造形物についての発明であるが、このタイプの造形物は、造形物単位表面積当りのコケ植物の使用量が多く、高価になってしまう傾向がある。
また、造形物の分野でのコケ植物の活用範囲を、さらに多様化することも有意義である。
そこで、本発明が解決すべき課題は、新たなコンセプトに基づいた、コケ植物を用いる造形物を提供することにある。
発明の開示
本発明者は、この課題の解決に向けて、鋭意検討を行った。その結果、粉砕紙および／または紙前駆物並びに土質細物を含有する組成物を、コケ植物の固定手段として用い、かつ、コケ植物を露出させることにより、新たなコンセプトに基づいた、コケ植物を用いる造形物が提供され得ることを見出し、本発明を完成した。
すなわち、本発明は、少なくとも、造形物の表面の全部または一部が、固化した状態の、粉砕紙および／または紙前駆物並びに土質細物を含有する組成物で構成され、かつ、この組成物で構成される造形物の表面において、コケ植物が露出している、コケ植物を用いた造形物（以下、本造形物ともいう）を提供する発明である。
なお、本発明において、造形物とは、何らかの形状の物体を意味するものであり、その大きさ、形状が限定されるものではなく、移動の可否が問われるものでもない。すなわち、置物から、建築物や構造物に至るまで、本発明における造形物に含まれる。
（１）コケ植物
本造形物において使用されるコケ植物は、自然界に自生しているコケ植物をそのまま用いることも可能である。例えば、全長が２〜３ｍｍの発生初期の状態から、植物体長がある程度の長さ、具体的には、２〜３ｃｍ以上（上限は、そのコケ植物の植物体長の最大限までで特に限定されない）程度であっても用いることができる。これらのコケ植物は、栽培法により得たコケ植物であっても、また、いわゆる培養法〔例えば、「植物バイオテクノロジーＩＩ」，東京化学同人：現代化学・増刊２０の第３９頁「蘚苔類の培養」（小野著）等参照のこと〕を用いた「培養ゴケ」を用いることも可能であるが、通常は、栽培法で得たコケ植物を用いることが好ましい。
コケ植物は、用いるコケ植物の種類に応じた既に知られている方法で栽培することができる。
具体的には、例えば水掃けの良好なパレット上に砂等を敷いて、その上にコケ植物を植えて、そのコケ植物の種類に応じた温度条件及び日照条件で養生することにより、所望する種類のコケ植物を栽培することができる。
また、一旦パレットで育てたコケ植物や自然界に自生しているコケ植物を、より大規模に栽培するために、地上に蒔き、これを養生することも可能である。
この場合には、コケ植物の砂等の汚れを落し、これを効率的に地上に分散させることが好ましい。このような汚れが落ちて適度に分散したコケ植物を効率的に得るために、例えば、洗浄前のコケ植物を、水で一旦洗浄し、これに緩徐な遠心処理を施すことができる。一連のコケ植物の洗浄工程は、通常、家庭で行われる洗濯の、洗い→すすぎ（洗浄工程）→脱水（緩徐な遠心工程）という通常の工程に準じて行うことができる。
緩徐な遠心処理は、コケ植物が、ほぼ脱水された状態になった時点で終了することが好ましい。この具体的な遠心処理の回転数は、家庭用の洗濯用の脱水機程度、具体的には、５００〜１５００回転／分程度で、３分程度行うことが好ましいが、これに限定されるものではない。このようにして得られた、洗浄済みのコケ植物は、通常の篩落し方法により、地上に均等に分散させて蒔くことが可能である。この篩落し方法は、人力による篩落しでも、バイブレーター等の機械力による篩落しであってもよい。
特に、広い面積にコケ植物を蒔く場合には、例えば、トラクター等の移動可能な装置に篩落とし機能を設けて、このトラクター等を自走させつつ、コケ植物を篩落して、所望する領域において、均等に、かつ、効率良くコケ植物を蒔くことができる。
本発明に用い得るコケ植物の種類は特に限定されない。
例えば、Ａｔｒｉｃｈｕｍ  ｕｎｄｕｌａｔｕｍ（Ｈｅｄｗ．）Ｐ．Ｂｅａｕｖ（Ｎａｍｉｇａｔａ−Ｔａｃｈｉｇｏｋｅ）等のＡｔｒｉｃｈｕｍ  Ｐ．Ｂｅａｕｖ．（Ｔａｃｈｉｇｏｋｅ−ｚｏｋｕ）；Ｐｏｇｏｎａｔｕｍ  ｉｎｆｌｅｘｕｍ（Ｌｉｎｄｂ．）Ｌａｃ．（Ｋｏ−ｓｕｇｉｇｏｋｅ）等のＰｏｇｏｎａｔｕｍ  Ｐ．Ｂｅａｕｖ（Ｎｉｗａ−ｓｕｇｉｇｏｋｅ−ｚｏｋｕ）；Ｐｏｌｙｔｒｉｃｈａｓｔｒｕｍ  ｆｏｒｍｏｓｕｍ（Ｈｅｄｗ．）Ｇ．Ｌ．Ｓｍｉｔｈ等のＰｏｌｙｔｒｉｃｈａｓｔｒｕｍ  Ｇ．Ｌ．Ｓｍｉｔｈ（Ｍｉｙａｍａ−ｓｕｇｉｇｏｋｅ−ｚｏｋｕ）；Ｐｏｌｙｔｒｉｃｈｕｍ  ｃｏｍｍｕｎｅ  Ｈｅｄｗ．（Ｕｍａ−ｓｕｇｉｇｏｋｅ）等のＰｏｌｙｔｒｉｃｈｕｍ  Ｈｅｄｗ．（Ｓｕｇｉｇｏｋｅ−ｚｏｋｕ）；Ｃｅｒａｔｏｄｏｎ  ｐｕｒｐｕｒｅｕｓ（Ｈｅｄｗ．）Ｂｉｒｄ．（Ｙａｎｏｕｅｎｏ−ａｋａｇｏｋｅ）等のＣｅｒａｔｏｄｏｎ  Ｂｉｒｄ．（Ｙａｎｏｕｅｎｏａｋａ−ｇｏｋｅ−ｚｏｋｕ）；Ｄｉｃｒａｎｕｍ  ｊａｐｏｎｉｃｕｍ  Ｍｉｔｔ．（Ｓｈｉｐｐｏｇｏｋｅ）、Ｄｉｃｒａｎｕｍ  ｎｉｐｐｏｎｅｎｓｅ  Ｂｅｓｃｈ（Ｏ−ｓｈｉｐｐｏｇｏｋｅ）、Ｄｉｃｒａｎｕｍ  ｓｃｏｐａｒｉｕｍ  Ｈｅｄｗ．（Ｋａｍｏｊｉｇｏｋｅ）、Ｄｉｃｒａｎｕｍ  ｐｏｌｙｓｅｔｕｍ  Ｓｗ．（Ｎａｍｉ−ｓｈｉｐｐｏｇｋｅ）等のＤｉｃｒａｎｕｍ  Ｈｅｄｗ．（Ｓｈｉｐｐｏｇｏｋｅ−ｚｏｋｕ）；Ｌｅｕｃｏｂｒｙｕｍ  ｓｃａｂｒｕｍ  Ｌａｃ．（Ｏ−ｓｈｉｒａｇａｇｏｋｅ）、Ｌｅｕｃｏｂｒｙｕｍ  ｊｕｎｉｐｅｒｏｉｄｅｕｍ（Ｂｒｉｄ．）Ｃ．Ｍｕｌｌ．（Ｈｏｓｏｂａ−ｏｋｉｎａｇｏｋｅ）等のＬｅｕｃｏｂｒｙｕｍ  Ｈａｍｐｅ（Ｓｈｉｒａｇａｇｏｋｅ−ｚｏｋｕ）；Ｂｒｙｕｍ  ａｒｇｅｎｔｅｕｍ  Ｈｅｄｗ．（Ｇｉｎｇｏｋｅ）等のＢｒｙｕｍ  Ｈｅｄｗ．（Ｈａｒｉｇａｎｅｇｏｋｅ−ｚｏｋｕ）；Ｒｈｏｄｏｂｒｙｕｍ  ｇｉｇａｎｔｅｕｍ（ｓｃｈｗａｅｇｒ．）Ｐａｒ．（Ｏ−ｋａｓａｇｏｋｅ）等のＲｈｏｄｏｂｒｙｕｍ（Ｓｃｈｉｍｐ．）Ｈａｍｐｅ（Ｋａｓａｇｏｋｅ−ｚｏｋｕ）、Ｐｌａｇｉｏｍｎｉｕｍ  ａｃｕｔｕｍ（Ｌｉｎｄｂ．）Ｔ．Ｋｏｐ．（Ｋｏｔｓｕｂｏｇｏｋｅ）等のＰｌａｇｉｏｍｎｉｕｍ  Ｔ．Ｋｏｐ．（Ｔｓｕｒｕ−ｃｈｏｃｈｉｎｇｏｋｅ−ｚｏｋｕ）；Ｔｒａｃｈｙｃｙｓｔｉｓ  ｍｉｃｒｏｐｈｙｌｌａ（Ｄｏｚｙ  ｅｔ  Ｍｏｌｋ．）Ｌｉｎｄｂ．（Ｋｏｂａｎｏ−ｃｈｏｃｈｉｎｇｏｋｅ）等のＴｒａｃｈｙｃｙｓｔｉｓ  Ｌｉｎｄｂ．（Ｋｏｂａｎｏ−ｃｈｏｃｈｉｎｇｏｋｅ−ｚｏｋｕ）；Ｐｙｒｒｈｏｂｒｙｕｍ  ｄｏｚｙａｎｕｍ（Ｌａｃ．）Ｍａｎｕｅｌ（Ｈｉｎｏｋｉｇｏｋｅ）等のＰｙｒｒｈｏｂｒｙｕｍ  Ｍｉｔｔ．（Ｈｉｎｏｋｉｇｏｋｅ−ｚｏｋｕ）；Ｂａｒｔｒａｍｉａ  ｐｏｍｉｆｏｒｍｉｓ  Ｈｅｄｗ．（Ｏ−ｔａｍａｇｏｋｅ）等のＢａｒｔｒａｍｉａ  Ｈｅｄｗ．（ｔａｍａｇｏｋｅ−ｚｏｋｕ）；Ｃｌｉｍａｃｉｕｍ  ｄｅｎｄｒｏｉｄｅｓ（Ｈｅｄｗ．）Ｗｅｂ．ｅｔ  Ｍｏｈｒ（Ｆｕｒｏｓｏ）、Ｃｌｉｍａｃｉｕｍ  ｊａｐｏｎｉｃｉｕｍ  Ｌｉｎｄｂ．（Ｋｏｙａｎｏ−ｍａｎｎｅｎｇｕｓａ）等のＣｌｉｍａｃｉｕｍ  Ｗｅｂ．ｅｔ  Ｍｏｈｒ（Ｋｏｙａｎｏ−ｍａｎｎｅｎｇｕｓａ−ｚｏｋｕ）；Ｒａｃｏｍｉｔｒｉｕｍ  ｅｒｉｃｏｉｄｅｓ（Ｗｅｂ．ｅｔ  Ｂｒｉｄ）Ｂｒｉｄ（Ｈａｉ−ｓｕｎａｇｏｋｅ）、Ｒａｃｏｍｉｔｒｉｕｍ  ｊａｐｏｎｉｃｉｕｍ  Ｄｏｚｙ  ｅｔ  Ｍｏｌｋ．（Ｅｚｏ−ｓｕｎａｇｏｋｅ）、Ｒａｃｏｍｉｔｒｉｕｍ  ｃａｎｅｓｃｅｎｓ（Ｈｅｄｗ．）Ｂｒｉｄ．ｓｓｐ．ｌａｔｉｆｏｌｉｕｍ（Ｓｕｎａｇｏｋｅ）、Ｒａｃｏｍｉｔｒｉｕｍ  ｂａｒｂｕｌｏｉｄｅｓ  Ｃａｒｄ．（Ｋｏｂａｎｏｓｕｎａｇｏｋｅ）等のＲａｃｏｍｉｔｒｉｕｍ  Ｂｒｉｄ．（Ｓｈｉｍｏｆｕｒｉｇｏｋｅ−ｚｏｋｕ）；Ｈｙｐｎｕｍ  ｐｌｕｍａｅｆｏｒｍｅ  Ｗｉｌｓ．（Ｈａｉｇｏｋｅ）等のＨｙｐｎｕｍ  Ｈｅｄｗ．，ｎｏｍ．ｃｏｎｓ．（Ｈａｉｇｏｋｅ−ｚｏｋｕ）；Ｔｈｕｉｄｉｕｍ  Ｋａｎｅｄａｅ  Ｓａｋ．（Ｔｏｙａｍａ−ｓｈｉｎｏｂｕｇｏｋｅ）等のＴｈｕｉｄｉｕｍ  Ｂｒｕｃｈ  ｅｔ  Ｓｃｈｉｍｐ．ｉｎ  Ｂ．Ｓ．Ｇ．（Ｓｈｉｎｏｂｕｇｏｋｅ−ｚｏｋｕ）等を挙げることができるが、これらに限定されるものではない。
これらのコケ植物は、単独種類のコケ植物を用いることは勿論のこと、２種以上を組み合わせて用いることも可能である。
また、本造形物においては、意図的に性質の異なるコケ植物同士、例えば、日光を好むコケ植物と日陰を好むコケ植物を組み合わせて用いることにより、本造形物を使用する場所の具体的な環境に応じ、コケ植物同士で競合遷移を起こさせることも可能である。
本発明において、コケ植物は、全植物体をそのまま用いることも可能であり、細断された形態（好適には、０．５〜２ｍｍ長程度）で用いることも可能である。コケ植物においては、一般的に、植物体を細断することにより、再生能力を向上させることができる。コケ植物を細断する手段は、特に限定されず、例えば、乾燥させたコケ植物を、回転刃等で対象物を粉砕可能な粉砕機で粉砕することにより、所望の粉砕処理を行うことができる。また、特に、コケ植物の成長芽は、再生力が強いので、これを選択的に本発明において、コケ植物として用いることが好適である。成長芽の選択的取得は、特に、スナゴケ類等の頂蘚類においては、自生しているコケ植物の植物体頂部（成長芽が位置する）を、バリカン状のハサミ等により容易に行うことができる（スナゴケ類においては、植物体頂部をほうき等で掃くことによっても成長芽を選択的に得ることができる）。なお、コケ植物は、一旦再生芽を除去しても、早期に再生するので、この再生芽の取得作業は、同一のコケ植物において、何度も行うことができる。
（２）コケ植物固定用組成物
本造形物において、コケ植物を固定するために用いる組成物は、上記のように、粉砕紙および／または紙前駆物並びに土質細物を含有する組成物（以下、固定用組成物ともいう）として、提供される。
コケ植物は、固定用組成物によって、本造形物において固定される。この固定は、本造形物における、水を含有する状態の固定用組成物（以下、固定用前駆組成物ともいう）に、コケ植物を植えつけて、固定用前駆組成物を乾燥させることで、行うことも可能である。しかしながら、製造工程の効率性を鑑みると、固定用前駆組成物に、コケ植物を含有させて、このコケ植物が含有した状態の固定用前駆組成物を、本造形物の表面において用いるのが好適である。
固定用組成物（粉砕紙及び／又は紙前駆物並びに土質細物を含有する組成物）における粉砕紙とは、文字通り、粉砕した紙であり、紙の種類は、特に限定されない。例えば、新聞紙、衛生用紙、雑誌類、チラシ、コピー用紙等を、紙として使用することが可能であり、また、ケナフ紙（ケナフの植物繊維により普通紙の製造工程に準じて製造され得る紙）を紙として用いることもできる。粉砕とは、基となる紙の一部または全部が紙繊維単位まで細かくなっている状態をいう。粉砕手段は、特に限定されないが、後述する前駆組成物を調製する際に、水中で、剪断刃による剪断、やすり刃による削り出し、さらには、手もみ等により、所望する粉砕紙を調製することができる。
紙前駆物とは、パルプから精製した、紙の直接的な原料となる水を含んだ植物繊維である。
土質細物とは、「土に近似した形態の細かいもの」という意味であり、具体的には、土、砂利、砂、陶器粉、ガラス粉、珪藻土、灰類、軽量骨材、粘土、ピートモス等を挙げることができる。土質細物は、１種であっても、２種以上であってもよく、必要に応じて、種類や配合を適宜選択することができる。この土質細物として、根張り固定物の製造工程において生ずる残土を用いることも可能であり、根張り固定物と本固定物の製造をリンクさせることにより、自然回帰素材を製造するリサクリングシステムを構築することが可能である。
なお、固定用組成物においては、土質細物以外の細物を、その本来の目的を損なわない限り、必要に応じて含有させることも可能である。具体的には、例えば、植物繊維（例えば、根張り面を形成した根部等）、わら、生ゴミ粉砕物、炭片、鉱石類、植物の種子等を含有させることができる。殊に、植物繊維は、これらの組成物を強化する上で、含有させることが有益である場合が認められる。
また、固定用組成物においては、土質細物として粘土を含有させることが、これらの組成物自体の、強度と塑性を向上させることが可能であるという点において好ましい〔粘土と粉砕紙等を共存させることにより、相乗的に強度と塑性を向上させることが可能である（これについては後述する）〕。なお、本発明において、粘土とは、土粒子の平均粒径が、０．０７４ｍｍ以下の土質細物であり、一般的に、シルト、粘土ないしコロイドと呼ばれている土質細物を意味するものとする。
なお、固定用組成物において、粉砕紙等および土質細物以外の含有物、例えば、粘結剤、増粘剤等の粘結強化剤を含有させることも可能である。しかしながら、これらの粘結強化剤（特に、化学合成品）の添加をしなくても、本造形物の元来の形状を経時的に維持可能である故に、地球環境や人間の健康に対して優しいという意義があるものであり、可能な限り、これらの粘結強化剤は含有させないことが好適である。かかる意味で、固定用組成物には、粘結強化剤が含有されていないことが好適である〔ここで、実質的とは、例えば、紙の中に含まれている微量成分（例えば、新聞紙等の印刷紙のインキ成分等）や水分が含有され得ることを示すものである〕。
固定用組成物は、固定用前駆組成物を経て形成される。すなわち、まず、粉砕紙等、土質細物および水（好適には、コケ植物も含む）を含有する、固定用前駆組成物を調製して、これを、本造形物の製造工程において使用して、乾燥して、固定用組成物とする。
固定用組成物における、粉砕紙等および土質細物の比率は、特に限定されないが、概ね、質量比で、粉砕紙等：土質細物＝１：２〜１：４程度が好ましい。粉砕紙等の比率が多くなりすぎると、固定用組成物自体が脆くなり、色合いにおいても、紙の色が全面に出てしまい、色彩意匠的にも適切性を欠く場合がある。また、土質細物の比率が多くなり過ぎると、固定用組成物における固着性が低下し、乾燥しても安定して定形化することが困難となるばかりか、組成物の単位体積当りのコストが上昇する傾向が強くなる。
なお、固定用組成物において用いる土質細物として、粘土を含有させることが好適である。かかる粘土の含有量は、質量比で、粘土：粘土以外の土質細物＝１：８〜１：２程度が好ましい。
また、固定用前駆組成物における粉砕紙等および土質細物と、水の比率は、特に限定されず、自由に選択し得るが、一般的には、前駆組成物全量に対して８〜３０質量％、好適には、同１５〜２５質量％程度が好ましい。水の含有量が少なすぎると、粉砕紙を用いる場合の紙の粉砕作業が難しくなり、粉砕紙と土質細物との十分な混練も困難となる。水の含有量が多過ぎると、前駆組成物の重量が重くなりすぎ、両組成物の調製作業に過度の負担を与えるばかりか、水資源の浪費となってしまう。ただし、本造形物において、固定用組成物を薄く付着等して用いる場合には、水の量を相対的に増量することが好適である場合も認められる。なお、粉砕紙の代わりに紙前駆物を用いる場合は、水を含んだ状態の紙前駆物が、結果として上記の水含有量であることが好適である。
上述したように、固定用前駆組成物に、コケ植物を含有させることによって、本造形物を効率的に行うことができる。
本造形物においては、コケ植物をその表面上に露出させることが必要であるが、後述する露出工程を行わない場合（事後的に、コケ植物を造形物上の固定用前駆組成物に移植する場合を除く）には、十分にコケ植物を、固定用前駆組成物中に含有させることが必要である。具体的には、コケ植物を、固定用組成物の２倍量〜１５倍量（質量比）程度となるように含有させることが好適である。コケ植物の含有量が、固定用組成物の２倍量未満であると、コケ植物以外の要素（紙繊維及び土質細物）が、本組成物の上面を覆ってしまい、これがコケ植物の生育の障害となってしまう。また、同コケ植物の含有量が１５倍量を超えると、固定用組成物におけるコケ植物の固定力が弱くなり過ぎる傾向が認められる。
コケ植物の露出工程を行う場合には、固定用前駆組成物中に含有させるコケ植物は、固定用組成物の２倍量（質量比）未満、好適には、０．１〜１倍量とすることがが好適である。
（３）コケ植物の露出工程
コケ植物は、定着部分からの栄養供給からは独立して、光合成により供給されるエネルギーのみで生育することが可能な植物である。しかしながら、逆の観点からは、本造形物において、外界に向けて露出していなければ、光合成を行うことができず、本造形物において生育することは困難となる。また、本造形物において、コケ植物の色合いを出すことも困難になる。
よって、コケ植物を固定用前駆組成物に含有させて、これをそのまま造形物の表面部分に用いても、コケ植物が外界に向けて露出することがない、または、稀である場合には、コケ植物を外界に向けて露出させる露出工程（以下、露出工程ともいう）を行うことが必要となる。
露出工程としては、▲１▼電動のやすり付き工具等で、造形物におけるコケ植物を含有する固定用組成物の表面を、薄く削り出し処理をすることや、より好適な態様として、▲２▼造形物における固定用前駆組成物の水分が失われる前に、固定用前駆組成物の表面を、水流と接触させること、▲３▼群落状に起立配置した、露出させることを予定するコケ植物に、固定用前駆組成物を上層し、その上から、この組成物を、群落上に起立配置されたコケ植物の下部に向けて、コケ植物の上部が起立して露出した状態となるように移動させること、等を挙げることができる。
露出手段▲２▼▲３▼は、効率的にコケ植物の露出を行うことが可能であること、および、露出工程において、削り出しのような埃が発生しないという点において、極めて有利である。
水流を用いた露出工程▲２▼は、固定用前駆組成物が、コケ植物を含有していることにより、はじめて可能となる。すなわち、この露出手段▲２▼を行う際には、水流を接触させる前駆組成物には水分が含まれている、固化前の状態であるから、通常であれば、水流によって組成物は崩れてしまうはずである。しかしながら、成型された組成物の水流を接触させる面の表面の付近に存在するコケ植物が、水流をトラップすることにより、組成物が崩れてしまうことを防御する。このために、ごく表面の前駆組成物の土質細物や粉砕紙等のみが水流との接触によって洗い流され、その結果、所望するコケ植物の露出状態を非常に簡便に実現することができる。なお、この水流の強さの程度は、通常の家庭用の上水道から連結したノズル付きホースで実現される程度の水流で十分である。また、複数の造形用組成物を、電気洗濯機のような、水流発生機構が設けられている水槽に入れ、この水槽において水流を発生させることにより、水流と造形物同士の接触による摩擦力により、造形物の固定用前駆組成物における露出工程を行うことができる。なお、この水槽における処理は、通常の家庭用の洗濯機程度の水流中で、２〜１０分間程度、造形物同士を接触させることで行うことができる。
露出工程▲２▼は、例えば、造形物表面における、コケ植物を含有する固定用前駆組成物が固化する前に、この表面に水流を接触させて、造形物表面近傍のコケ植物を覆っている固化素材を除去することにより、これらのコケ植物を造形物表面に露出させる工程、のように表現され得る工程である。
露出工程▲３▼は、コケ植物を、本造形物の表面に、最も明瞭に露出させることができる工程である。すなわち、上記の露出工程▲１▼▲２▼は、主に、コケ植物の側面の一部を露出させることを可能とする工程であるのに対して、この露出工程▲３▼は、コケ植物の群落の起立配置（コケ植物の植物体の頂部を上側に向けることを意味するが、必ずしも直立状態を意味せず、コケ植物の植物体の頂部が、斜め上向き方向になって配置されている状態も、この起立配置に含まれる）したコケ植物の植物体の頂部近傍を、全て、本造形物表面において露出させることが可能である。この露出工程▲３▼により、コケ植物が露出された本造形物においては、あたかも、他の方法により露出を行った本造形物のコケ植物を養生して、再生芽の芽出しが認められているような、際立ったモスグリーンを、本造形物の製造当初から付与することができる。なお、この露出工程▲３▼において、固定用前駆組成物を、群落配置されたコケ植物の下部方向に移動させる手段は特に限定されず、水流や風圧を用いることが可能であるが、水流を用いることが好適である。この水流は、露出工程▲２▼と同様に、通常の家庭用の上水道から連結したノズル付きホースで実現される程度の水流で十分である。
本造形物において、上記の露出工程▲１▼または▲２▼を行った場合と、露出工程▲３▼を行った場合とは、特に、製品製造直後のコケ植物の状態が異なるために、外観も異なった趣を有している。よって、例えば、製品の一部に対して、コケ植物の植物体の頂部近傍を露出させる、露出工程▲３▼を施した部分と、コケ植物の植物体の側面の一部を露出させることを可能とする、露出工程▲１▼▲２▼を施した部分を、単一の本造形物において設けることにより、一層多彩な製品を製造することが可能となる。
（４）本造形物の態様と製造方法
▲１▼器物を用いないで、本造形物が構成される場合
この態様は、本造形物における、最も単純な態様である、この態様の本造形物は、固定用前駆組成物を所望する形状に成型して（例えば、固定用前駆組成物を、型に流し込み、好適には、圧縮力をかけた後、型を取外すととにより成型することができる。また、掌で、好適には圧縮力をかけて、所望の形状に成型することもできる）、上記の露出工程を施して、これを乾燥することにより製造することができる。
この態様の本造形物は、造形物の形状が単純であることが好適である。特に、本造形物が球形である場合には好適である。
ｉ）この態様の本造形物は、造形物を構成する固定用組成物全体にコケ植物が含有されている態様をとることが可能である。
この態様では、固定用前駆組成物にコケ植物を含有させて、これを、上記のような方法により成型して、露出工程を行い、乾燥することにより、所望の本造形物を製造することができる。この態様の場合は、製造方法は、最も単純であるが、本造形物の単位体積当りのコケ植物の含有量が多くなり、原材料費が高くなる傾向があるので、本造形物は、小型（球形であれば、半径３ｃｍ以内の大きさ）に設計されていることが好適である。
ｉｉ）この態様の本造形物は、造形物を構成する固定用組成物の一部のみにコケ植物が含有されている態様をとることが可能である。
この場合の最も典型的な態様の一つとして、本造形物の内部に、コケ植物が含有されていない固定用組成物を配置し、その外側に、コケ植物が含有されている固定用組成物を、付着固定する態様を挙げることができる。
この態様では、まず、固定用前駆組成物を、所望の形状に成型して、これに、コケ植物を含有する固定用前駆組成物を付着・固定して、露出工程を行い、乾燥することにより、所望の本造形物を製造することができる。この態様は、内部の成型した固定用組成物を、後述する器物として用いる態様の一つともいえる。内部の成型した固定用組成物は、湿潤した状態でも、乾燥した状態でもよい。ただし、本造形物の製造効率を鑑みると、この内部の成型した固定用組成物は、別個に乾燥させてから、次の、コケ植物を含有する固定用前駆組成物の付着・固定の工程を行うことが好適である。
なお、所望の形状に成型した、固定用前駆組成物（コケ植物を含有しない）の表面に、事後的に、コケ植物を移植（ピンセット等で行うことができる）することにより、本造形物を製造することもできる。
▲２▼器物を用いて、本造形物が構成される場合
この態様は、器物の表面の全部または一部において、固定用組成物が、固化した状態で付着固定されている本造形物を提供する態様である。
器物とは、一定の形状を有する物体であって、その素材（陶器、粘土、金属、プラスチック、発泡スチロール、木、紙、コンクリート等、さらに、上記のような、一定形状の固定用組成物である場合もある）、大きさ（掌にのるほどの大きさから、建築物程度の大きさまで想定される）、形状が限定されるものではない。この態様の本造形物は、器物の表面の全部又は一部に、本固定用前駆組成物を付着・固定して、露出工程を行い、乾燥することによって、所望する本造形物を製造することができる。
（５）本造形物製造用キット
本造形物製造用キットは、下記の（Ａ）と（Ｂ）を要素として含む、本造形物を製造するための、造形物製造用キットである。
（Ａ）固定用組成物
（Ｂ）器物
本造形物製造用キットは、例えば、本造形物を家庭や学校で手軽に製造する場合に有用なキットである。
すなわち、特定または不特定の形状の器物と固定用組成物をキットとすることにより、本造形物の製造を手軽に行うことができる。
例えば、本造形物製造用キットの使用者は、使用に際して、キットの構成要素である固定用組成物に水を添加して、固定用前駆組成物として、これにコケ植物を加える。次いで、器物に、コケ植物が含有されている固定用前駆組成物を付着・固定して、露出工程を行った後、乾燥させることにより、手軽に本造形物を製造することができる。
なお、本製造用キットには、上記（Ａ）（Ｂ）以外の要素、例えば、コケ植物を含んでもよい。また、（Ａ）の固定用組成物に代えて、コケ植物が含有されていることもある固定用前駆組成物を本製造用キットの構成要素とすることもできる。
発明を実施するための最良の形態
第１Ａ図〜第１Ｄ図は、固定用組成物を器物として用いる、本造形物の一態様を、その製造工程と共に示した図面である。
第１Ａ図は、固定用前駆組成物１１を、掌１１１を用いて球状に成型していることを示す図面である。例えば、この球状の成型の仕上げを、球形の型とり孔が設けられている型を用いて行うことも可能である。次いで、好適には、球形に成型された固定用前駆組成物１１を乾燥させて、固定用組成物からなる、球形の器物１２を得ることができる。
第１Ｂ図は、球形の器物１２の外側に、コケ植物１３１を含有する固定用前駆組成物１３をまぶして、これを掌１１１で付着させて（▲１▼）、器物１２のまわりに、コケ植物１３１を含有する固定用前駆組成物１３が固定されている中間製造物１４（▲２▼：断面図）を得る段階を示した図面である。中間製造物１４の、コケ植物１３１を含有する固定用前駆組成物１３は、半乾きの状態である。
第１Ｃ図は、中間製造物１４に対して、露出工程▲２▼を行っていることを示している。すなわち、掌１１１の上に、中間製造物１４を載せ、シャワーノズル１５から、水流１５１を噴水して、この水流１５１と中間製造物１４の表面を接触させることにより、コケ植物１３１を含有する固定用前駆組成物１３の、コケ植物１３１を除外した固定用前駆組成物の表面部分のみが洗い流され、コケ植物１３１は、中間製造物１４の表面上に露出する。前述したように、この現象は、コケ植物１３１が、水流をトラップすることにより、コケ植物１３１を含有する固定用前駆組成物１３が過度に削り取られることを防ぐことにより認められる現象である。この露出工程▲２▼によって、中間製造物１４の表面に、コケ植物１３１を露出させることができる。
このようにして、表面にコケ植物１３１を露出させた中間製造物１４’を乾燥させることにより、本造形物１０を得ることができる〔第１Ｄ図〕。なお、中間製造物１４’の乾燥後、さらに、露出工程▲１▼を行うことにより、本造形物１０の表面の仕上がり状態を向上させることもできる。
なお、固定用組成物からなる器物１２に代えて、例えば、コンクリート、陶器、プラスチック、粘土、発泡スチロール、ポーラスコンクリート等で構成される球状の器物１２１として、上記の本造形物１０に準じた形状の本造形物１０１を製造することができる〔第２Ａ図：断面図〕。多くの場合（器物が器物１２である場合も含まれる）、球状の器物１２１の表面に、凹凸を設ける（例えば、孔を空ける、模様を付ける、釘やピンを頭が表面に出た状態に差し込む等）ことにより、コケ植物１３１を含有する固定用前駆組成物１３の、のりを良くすることができる。
また、器物の形状は、特に限定されず、例えば、第２Ｂ図に示すように、瓦１２２を器物として、これに、コケ植物１３１を含有する固定用前駆組成物１３を付着させて、上記と同様の工程により、コケ植物１３１が表面に露出した瓦１０２を製造することも可能である。また、例えば、器物を、サボテン様の造形物として、これに上記と同様の工程を施すことにより、サボテン様の形状の本造形物１０３を製造することも可能である。
第３図は、様々な形状の器物を用いて製造した本造形物を屋外に放置して、コケ植物の養生を行った場合の様子を示した写真である。様々な形状の本造形物を製造することが可能であり、かつ、コケ植物を養生することにより、コケ植物の再生が行われ、本造形物の表面に、コケ植物を繁茂させ得ることができることが明らかとなった。
第４Ａ図〜第４Ｃ図は、露出工程▲３▼を用いて製造する、本造形物の一実施態様を示している。まず、栽培等して群落状になっているコケ植物２１の砂部２１１を除去して、コケ植物２１の上部に、固定用前駆組成物２２１をまぶして、さらに、下部にも、固定用前駆組成物２２２を付着させる〔第４Ａ図〕。次いで、シャワーノズル２３から、水流２３１を噴出させて、この水流２３１を、コケ植物２１の上側からかけて、水流により、固定用前駆組成物２２１を、コケ植物２１の植物体の中間丈付近まで移動させる〔第４Ｂ図〕。次いで、コケ植物２１を裏返して、再び、コケ植物２１の下部に、固定用前駆組成物２２２’をかけて、好適には、下部から、上記と同様のシャワーノズル２３からの水流により、固定用前駆組成物２２２と２２２’を、コケ植物２１の下部に馴らす。次いで、コケ植物２１を、上下方向から圧縮して、コケ植物２１における固定用前駆用組成物の定着を行い、コケ植物部２１０を調製する。次いで、器物２４に、コケ植物部２１０の下部（コケ植物２１の下部側）を接触させて押しつけて、器物３４と、コケ植物部２１０を一体化し、好適には、さらに、上記と同様のシャワーノズル２３からの水流により、コケ植物２１の先端部近傍に付着した固定用前駆組成物３２１を洗い流す〔第４Ｃ図〕。これを乾燥させることにより、コケ植物２１が、表面に露出した、本造形物２０が製造される。
本造形物は、上述のように、例えば、器物の形状や大きさや、固定用組成物によりコケ植物を固定する部分を変更することにより、様々なデザインの造形物とすることが可能である。また、本造形物と、他の要素を組み合わせることにより、さらに多彩なデザインの造形物とすることも可能である。
例えば、球状の本造形物に連結用の金具を設けて、この連結用金具を介して、複数の本造形物を数珠状に連結した造形物を製造することも可能である〔第５Ａ図：連結用金具３１，３１’と連結用金具３２を引っ掛けて、本造形物３０１と３０２を連結している、連結用金具は、第５Ｂ図の断面図のように、本造形物３０３の内部に貫通口３０３１を設けて、これに、棒状の連結用金具３０３２を貫通させてワッシャ３０３３等により係止することにより設けてもよい〕。また、台座３３１に貫通棒３３２〜３３６を付設して、かかる貫通棒の先端に、様々な形状の本造形物３４１〜３４５（これらの本造形物は、中の器物の形状を変えて、上記の工程を経ることにより製造することができる）をさし込み固定して、オブジェ３５０を製造することもできる〔第５Ｃ図〕。
また、器物を、器物として、本造形物を製造することも可能である。
第６図は、コンクリート構造物を器物として、その法面に、固定用組成物を付着固定等を行うことにより、コンクリート法面上に、コケ植物が露出して固定されている、本造形物を製造する工程を示している。
第６図において、凹凸が設けられたコンクリート構造物５０の表面（コンクリート構造物５０のコンクリートが生乾きのうちに設けることが好適であるが、コンクリート固化後にドリル等で設けることもできる）に、好適には清掃後に、例えば、ヘラ５１１を用いて、コケ植物を含有する固定用前駆組成物５１を塗り付け（重ね塗りが好適である）後、塗り付け面の上面を圧する。固定用前駆組成物５１が乾燥する前に、水流５２１をシャワーノズル５２から噴出させ、これにより、塗り付け面表面近傍の固定用前駆組成物５１を洗い流し、コケ植物を露出させる（露出工程▲２▼）。好適には、再度、ヘラ５１１で、塗り付け面を押しつけて、このまま乾燥させることにより、法面が、固定用組成物で固定されたコケ植物が露出しているコンクリート構造物５０が提供される。なお、固定用前駆組成物５１が固化する前に水濡れすると、この組成物が脱落するおそれがあるために、特に、このコンクリート構造物５０が屋外の構造物である場合には、雨除け５３を設備することが好適である。
産業上の利用可能性
本発明により、新規のコケ植物を用いた造形物が提供される。
【図面の簡単な説明】
第１Ａ図〜第１Ｄ図は、固定用組成物を器物として用いる、本造形物の一態様を、その製造工程と共に示した図面であり、第２Ａ図および第２Ｂ図は、器物として、様々なものを用いて製造する本造形物の態様を示した図面であり、第３図は、器物として、様々なものを用いて製造する本造形物のコケ植物を養生した様子を示した写真であり、第４Ａ図〜第４Ｃ図は、特有のコケ植物の露出工程を用いて製造する、本造形物の一実施態様を示した図面であり、第５Ａ図〜第５Ｃ図は、複数の本造形物を数珠状に連結した造形物の例を示した図面であり、第６図は、コンクリート構造物を器物として、本造形物を製造する工程を示した図面である。
【図１Ａ】
2003037067.tif 000003
【図１Ｂ】
2003037067.tif 000004
【図１Ｃ】
2003037067.tif 000005
【図１Ｄ】
2003037067.tif 000006
【図２Ａ】
2003037067.tif 000007
【図２Ｂ】
2003037067.tif 000008
【図３】
2003037067.tif 000009
【図４Ａ】
2003037067.tif 000010
【図４Ｂ】
2003037067.tif 000011
【図４Ｃ】
2003037067.tif 000012
【図５Ａ】
2003037067.tif 000013
【図５Ｂ】
2003037067.tif 000014
【図５Ｃ】
2003037067.tif 000015
【図６】
2003037067.tif 000016
【国際調査報告】
2003037067.tif 000017
2003037067.tif 000018